(57)【要約】【課題】  キャリブレーション機能付画像形成装置で構成された画像処理システムにおいて、キャリブレーション機能実行という隠れ蓑をかぶって情報漏洩が行われることを防止する。【解決手段】  記録媒体に画像形成を行なう画像形成装置から受信したデータに基づいて記録特性の較正を行なう画像処理装置を含む画像形成システムにおいて、テストプリント結果を該画像形成装置に読み込ませる際、その旨を画像形成装置に知らせる手段と、読み取り結果の印刷レイアウトがテストプリントの印刷レイアウトと同じモノであるか判定するし、判定結果が真でない場合は、読み取り結果を画像処理装置に送信しない手段、または送信されてきた位置情報によって特定される読み込み画像情報のみを画像処理装置に送信する手段を備えたことを特徴とする。【選択図】  図３
2008153765.tif 000002
【特許請求の範囲】
【請求項１】
記録媒体に画像形成を行なう画像形成装置から受信したデータに基づいて記録特性の較正を行なう画像処理装置を含む画像形成システムにおいて、
・記録媒体に前記較正のための所定画像が記録されたテストプリントを出力するテストプリント手段と、
・該テストプリント手段が出力した該テストプリント結果を読み込む手段と、
・該テストプリント結果を該画像形成装置に読み込ませる際、その旨を画像形成装置に知らせる手段と、
・該読み取り結果の印刷レイアウトがテストプリントの印刷レイアウトと同じモノであるか判定する手段と、
・該判定結果が真でない場合は、読み取り結果データを画像処理装置に送信しない手段と、
・該判定結果が真である場合は、・該読み取り結果に基づいて記録特性の較正を行う手段と
を備えたことを特徴とする画像形成システム。
【請求項２】
記録媒体に画像形成を行なう画像形成装置から受信したデータにもとづいて記録特性の較正を行なう画像処理装置を含む画像形成システムにおいて、
・記録媒体に前記較正のための所定画像が記録されたテストプリントを出力するテストプリント手段と、
・該テストプリント手段が出力した該テストプリント結果を読み込む手段と、
・該テストプリント結果を該画像形成装置に読み込ませて、その読み込み画像データをもとに記録特性の較正を行なう際、記録特性の較正処理に必要となる画像情報を特定するテストプリント結果の中の位置情報を画像形成装置に送信する手段と、
・該送信されてきた位置情報によって特定される読み込み画像情報を画像処理装置に送信する手段と、
・該送信されてきた画像情報をもとに記録特性の較正を行なう手段と
を備えたことを特徴とする画像形成システム。
【発明の詳細な説明】
【技術分野】
【０００１】
本発明は情報漏洩抑止方法及びそれを実現する情報処理装置とコントローラプログラムに関し、特に、パーソナルコンピュータ等の情報処理装置と、画像スキャン機能や印刷機能を有する画像形成装置、および、これらを仲介するコントローラによって構成されるシステムにおいて、画像の不正スキャンによる情報漏洩を抑止する情報漏洩抑止方法及びそれを実現する情報処理装置とコントローラプログラムに関するものである。
【背景技術】
【０００２】
情報のデジタル化、ネットワーク化、モバイル化が進展したことに伴い、情報の可搬性が飛躍的に向上しているが、今後もこの傾向はますます加速していくことは必至である。
【０００３】
しかし、上記情報の可搬性の向上に伴い、企業の顧客情報や重要技術情報等の機密情報漏洩事件が頻発している。
【０００４】
そこで、情報漏洩を防止する手段として、印刷されたり、スキャナで読み取られた内容を蓄積し情報追跡を可能にするための手段が工夫されてきた。
【０００５】
例えば、受信した印刷データを再印刷可能な状態で保管すると共に、ジョブ名、クライアント名、ユーザ名などの情報を付加したり、印刷データからビットマップデータを生成したりして印刷ログとして保管する方法等、情報漏えい抑止の手段が提案されている。（例えば、特許文献１参照）
一方、印刷出力したり、画像データを読み込む機能を備えた画像形成装置では、形成される画像の濃度やその階調性が、装置がおかれた環境の変化あるいは感光体や現像剤等、装置要素の経時的変化に起因して変化し、画像品位の低下もしくは不安定化をもたらすことがある。これに対し、所定のパッチパターンを、例えば感光ドラム上や記録媒体上に形成し、パッチパターンから読取った濃度に基づいて、その装置の画像形成における濃度もしくは階調を補正する、いわゆるキャリブレーションを行なうことが知られている。
【特許文献１】特開２００２−１４９３７１号公報
【発明の開示】
【発明が解決しようとする課題】
【０００６】
しかし、上記キャリブレーション機能付画像形成装置で構成された画像処理システムにおいては、次のような問題点があった。
【０００７】
すなわち、キャリブレーション機能を実行する際には、上記情報漏洩防止のための手段が機能しないので、このキャリブレーション機能実行という隠れ蓑をかぶって情報漏洩が行われる可能性があるということである。
【０００８】
本発明の課題はこの様な問題点に応える手段を提供するものである。
【課題を解決するための手段】
【０００９】
本発明によるシステムは，上記の課題を解決するための手段として、少なくとも以下の構成を備える。
【００１０】
１、所定の通信媒体を介して情報処理装置から送信される出力情報に基づいて画像形成装置が出力可能な画像データを生成して送信する手段。
【００１１】
２、原稿読み取り手段で読み取り変換されたデジタル画像情報を受信、記憶する手段。
【００１２】
３、上記１で生成した出力画像データや、２で得られた読み取り画像データを、ジョブIDや依頼元情報処理装置ID等と共にジョブアーカイブ用記憶装置内に記憶する手段。
【００１３】
４、キャリブレーションを実行するためのパッチパターン画像データを生成して画像形成装置に送信して印刷するための手段。
【００１４】
５、印刷出力されたパッチパターン画像印刷結果を、画像読み取り手段によって読み込み、評価してキャリブレーションを実行する手段。
【００１５】
６、キャリブレーションモードで読み取った画像データが、キャリブレーションを実行するためのパッチパターン画像データであるかどうか判定する手段。
【００１６】
７、６の判定の結果、読み取った画像データがキャリブレーションを実行するためのパッチパターン画像データではないと判定した場合、読み取った画像データを送信しないよう制御するとともに、確認メッセージを表示する手段。
【００１７】
８、キャリブレーションモードで読み取った場合、読み取った画像データの定められた位置座標の画像データのみを送信するよう制御する手段。
【発明の効果】
【００１８】
キャリブレーションと詐称して読み取り禁止画像をスキャンしたとしても、画像形成装置にてスキャン画像がパッチパターン画像かどうかのチェックがなされ、または画像形成装置から、キャリブレーションに必要なデータのみが送信され全面の画像が送出されないため、セキュリティ性能とキャリブレイション機能の両立が図れる。
【発明を実施するための最良の形態】
【００１９】
以下、本発明の発明を実施するための最良の形態について図面を用いて説明する。
【００２０】
（第１実施形態）
図１は、本発明の第１の実施形態を示す画像処理システムの構成を説明する概観図である。
【００２１】
図において、１０１はホストコンピュータ、１０２はコントローラ、１０３は画像形成装置である。
【００２２】
画像形成装置１０３は、原稿台に置かれた原稿を読み取ってカラーで複写したり、コントローラ１０２を介してホストコンピュータ１０１に読み取り画像データを送信するとともに、コントローラ１０２を介してホストコンピュータ１０１から送信されてくる画像データを印刷出力する。
【００２３】
また、上記原稿読み取りジョブや画像データの印刷出力ジョブが実行した際、その画像データとともに、そのジョブを特定する情報を記憶装置上に記憶する機能を備える（ジョブアーカイブ機能）。
【００２４】
ホストコンピュータ１０１は、画像データをページ記述言語（＝ＰＤＬ）で記述された情報に変換し、接続ケーブルを介してコントローラ１０２へ送信したり、コントローラ１０２を介して送信されてきた画像データを受信して処理する。
【００２５】
コントローラ１０２は、ホストコンピュータ１０１からのＰＤＬデータ等を翻訳し、ラスタ画像データに変換するラスタイメージ処理を行い、画像形成装置１０３に送信するとともに、画像形成装置１０３から送信されてくる読み取り原稿画像データをホストコンピュータに送信する。
【００２６】
また、コントローラ１０２は本発明の要となるキャリブレーション機能を備えている。
【００２７】
図２は、図１に示した画像形成装置１０３の構成を説明する断面図であり、上部にデジタルカラー画像リーダ部（以下、リーダ部）２０１と、プリンタエンジン部（以下、エンジン部）２０２と、リーダ部２０１とエンジン部２０２の間に画像処理部２０３を有する。また、１０４２はジョブアーカイブ用記憶装である。
【００２８】
以下、画像形成装置１０３の構成および複写機として原稿画像複写動作について説明する。
【００２９】
図において、原稿が原稿台ガラス面３１上に載置されたのちコピースタートにより、照明が所定方向に往復されて、原稿反射光をミラー３２ａ，３２ｂおよび３２ｃを介してレンズ３３によりＲＧＢ三色分解フィルタと一体形成されたフルカラーセンサ３４に集光し、カラー色分解画像アナログ信号を得る。カラー分解画像アナログ信号は、図示しない増幅回路を経てデジタル化され、画像処理部にて処理を施された後エンジン部２０２に送出される。また、２５０は操作部で、図示しない表示部と各種キーを備え、画像形成装置１０３に対して各種設定および指示を行うことができる。
【００３０】
エンジン部２０２において、像担持体である感光ドラム１は、図矢印方向に回転自在に担持され、その感光ドラム１の周りには、前露光ランプ１１，コロナ帯電器２，レーザ露光光学系３，電位センサ１２，４つの現像器（イエロー現像器４Ｙ，シアン現像器４Ｃ，マゼンタ現像器４Ｍ，ブラック現像器４Ｋ），ドラム上光量検知センサ１３，転写装置５，クリーニング器６が配置されている。
【００３１】
レーザ露光光学系３において、リーダ２０１部からの画像信号は、不図示のレーザ出力部にて光信号に変換され、変換されたレーザ光がポリゴンミラー３ａで反射された後、レンズ３ｂおよびミラー３ｃを通って感光ドラム１の表面に投影される。
【００３２】
エンジン部２０２による画像形成時には、感光ドラム１を図矢印方向に回転させ、前露光ランプ１１でドラム表面を除電した後、コロナ帯電器２により一様に帯電させてから各分解色ごとに光像Ｅを照射して感光ドラム１上に潜像を形成する。
【００３３】
次に、所定の現像器（４Ｙ，４Ｍ，４Ｃ，４Ｋ）を動作させて感光ドラム１上の潜像を現像し、感光ドラム１上に樹脂を基体としたトナー画像を形成する。現像器（４Ｙ，４Ｍ，４Ｃ，４Ｋ）は偏心カム２４Ｙ、２４Ｃ、２４Ｍ、２４Ｋの動作により各分解色に応じて択一的に感光ドラム１に接近させるようにしている。
【００３４】
次に、感光ドラム１上に現像されたトナー画像は、記録材カセット７ａ，中間トレイ２２または記録材トレイ７ｂおよび７ｃから検出搬送系５０〜５２及び転写装置５を介して感光ドラム１との対向位置に供給された記録材７（７ａ，７ｂ，７ｃ）に転写される。
【００３５】
また本実施形態では、転写装置５は、記録材保持手段としての転写ドラム５ａ，転写帯電器５ｂ，記録材７を静電吸着させるための吸着帯電器５ｃと対向する吸着ローラ５ｇ，内側帯電器５ｄ，外側帯電器５ｅ，カムフォロワ５ｉとを有し、回転駆動されるように軸支された転写ドラム５ａの周面開口域には誘電体からなる記録材担持シート５ｆが円筒状に一体的に張設されている。記録材担持シート５ｆは、ポリカーボネートフィルム等の誘電体シート（以下、転写シート）が使用されている。
【００３６】
転写ドラム５ａを回転させるに従って、感光ドラム１上のトナー像は転写帯電器５ｂにより記録材担持シート５ｆに担持された記録材７上に転写される。
【００３７】
このようにして記録材担持シート５ｆに吸着搬送される記録材７には、所望の色画像が転写され、フルカラー画像が形成される。
【００３８】
フルカラー画像形成の場合、このようにして４色トナー像の転写が終了した記録材７は、転写ドラム５ａから分離爪８ａ，分離押し上げコロ８ｂ及び分離帯電器５ｈの作用によって転写シート５ｆから分離され、熱ローラ定着器９（以下、定着器）を介してトレイ１０に排紙される。
【００３９】
また、転写終了後の感光ドラム１は、表面の残留トナーがクリーニング器６で清掃された後、再度画像形成工程に供される。
【００４０】
定着器９において、９ｇは搬送ベルトで、転写装置５から分離された記録材７を定着器９に搬送する。９ｅ，９ｆはヒータで、上ローラ９ａ，下ローラ９ｂを加熱する。
【００４１】
また、記録材７の両面に画像を形成する場合には、一方の面に画像を形成した記録材７を定着器９から排出した後、すぐに搬送パス切り替えガイド２９を駆動してその記録材７を搬送パス２０を経て、反転パス２１ａに一旦導いた後、反転ローラ２１ｂの逆転により、送り込まれた際の後端を先頭にして送り込まれた方向と反対向きに退出させ、パス２３を介して中間トレイ２２に収納する。その後再び上述した画像形成工程によってもう一方の面に画像を形成する。
【００４２】
また、転写ドラム５の記録材担持シート５ｆ上における粉体の飛散付着、記録材７上におけるオイルの付着等を防止するために、記録材担持シート５ｆを介して対向するファーブラシ１４およびファーバックアップブラシ１５や、記録担持シート５ｆを介して対向するオイル清掃ローラ１６およびオイル清掃バックアッブプラン１７や、記録材担持シート５ｆを介して対向する研磨ローラ１８および研磨ローラバックアップブラシ１９を用いて清掃を行う。このような清掃は画像形成前、もしくは後に行い、またジャム（紙づまり）発生時には随時行う。また、本例においては、所望のタイミングで偏心カム２５を動作させ、転写ドラム５ａと一体化しているカムフォロア５ｉを作動させることにより、記録材担持シート５ｆと感光ドラム１とのギャップが任意に設定可能な構成となっている。例えば、スタンバイ中または電源オフ時には、転写ドラム５ａと感光ドラム１の間隔を離すようにしてある。
【００４３】
図３は、図２に示した画像処理部１０３の構成を示すブロック図である。
【００４４】
画像形成装置１０３は、インターフェイス１０１０、入力制御部１０２０、スキャナー装置１０４０、タッチパネルキーボード１０４１、ジョブアーカイブ用記憶装置１０４２、印刷制御部１０３０、印刷装置本体１０４３等で構成されている。また、入力制御部１０２０と印刷制御部１０３０とは内部接続ケーブル１０３８を介して接続されている。
【００４５】
インターフェイス１０１０は、通信コントローラ１０２１の制御の元に、ネットワークにアクセスしてデータの送受信を行う。
【００４６】
１０２２はマイクロプロセッサ形態の中央処理装置（ＣＰＵ）であり、例えば図示しないクロックパルス発生回路、遅延回路、ゲート回路、その他の論理回路などを有する順序回路等から構成される。
【００４７】
１０２３は、ＯＳ(オペレーティングシステム)や各種制御ソフト等が内蔵された読み出し専用メモリ（ＲＯＭ）で、ＣＰＵが各部に制御信号を供給する際に、制御信号をＣＰＵに順次知らせるためのマイクロ命令群が記憶されており、例えば、図５に示すメモリマップによって説明される構成を持っている。
【００４８】
１０２４は読み書き可能なランダムアクセスメモリ（ＲＡＭ）であり、各装置の動作状況を記憶する領域を有するとともに、ネットワーク接続装置を介して送信されてきたデータを格納する記憶領域を有する。
【００４９】
１０２５〜１０２８は、それぞれスキャナコントローラ、タッチパネルキーボードコントローラ、ジョブアーカイブコントローラ、プリンタコントローラであり、各装置の制御を行なう。
【００５０】
１０２９はバスラインで、ＣＰＵ１０２２、ＲＯＭ１０２３、ＲＡＭ１０２４、および１０２５〜１０２８の各種コントローラを電気的に接続し、メモリアドレスやデータを転送する。
【００５１】
１０３１は、印刷制御部側のＣＰＵであり、上記１０２２のＣＰＵと同様の構成と機能を備えている。
【００５２】
１０３２は、読み出し専用メモリ（ＲＯＭ）で、ＣＰＵが各部に印刷制御信号を供給する際に、その制御信号をＣＰＵに順次知らせるためのマイクロ命令群が記憶されており、例えば、図６に示すメモリマップによって説明される構成を持っている。
【００５３】
１０３３は、読み書き可能なランダムアクセスメモリ（ＲＡＭ）であり、各装置の動作状況や後述のページメモリ上に展開された印刷ビットマップイメージデータを記憶する領域を有する。
【００５４】
１０３４は、印刷データバッファであり、上記プリンタコントローラから送信されてきた印刷データを格納する記憶装置である。
【００５５】
１０３５は、印刷ビットマップイメージを格納するページメモリであり、作成された印刷ビットマップイメージはプリンタエンジンインターフェイス１０３６を介して印刷部本体１０４３に転送される。
【００５６】
１０３７はバスラインで、ＣＰＵ１０３１、ＲＯＭ１０３３、ＲＡＭ１０３２、印刷データバッファ１０３４、ページメモリ１０３５を電気的に接続し、メモリアドレスやデータを転送する。
【００５７】
図４は、図２に示したコントローラ１０２の構成を示すブロック図である。
【００５８】
コントローラ１０２は、インターフェイス２０１０、制御部１０２０、タッチパネルキーボード２０３０等で構成されている。
【００５９】
インターフェイス２０１０は、通信コントローラ２０２４の制御の元に、ネットワークにアクセスしてデータの送受信を行う。
【００６０】
２０２１はマイクロプロセッサ形態の中央処理装置（ＣＰＵ）であり、例えば図示しないクロックパルス発生回路、遅延回路、ゲート回路、その他の論理回路などを有する順序回路等から構成される。
【００６１】
２０２２は、ＯＳ(オペレーティングシステム)や各種制御ソフト等が内蔵された読み出し専用メモリ（ＲＯＭ）で、ＣＰＵが各部に制御信号を供給する際に、制御信号をＣＰＵに順次知らせるためのマイクロ命令群が記憶されており、例えば、図７に示すメモリマップによって説明される構成を持っている。
【００６２】
２０２３は読み書き可能なランダムアクセスメモリ（ＲＡＭ）であり、各装置の動作状況を記憶する領域を有するとともに、ネットワーク接続装置を介して送信されてきたデータを格納する記憶領域を有する。
【００６３】
２０２５はタッチパネルキーボードコントローラであり、タッチパネルキーボードの制御を行なう。
【００６４】
２０２６はバスラインで、ＣＰＵ２０２１、ＲＯＭ２０２２、ＲＡＭ２０２３、および２０２４〜２０２５の各種コントローラを電気的に接続し、メモリアドレスやデータを転送する。
【００６５】
以上、本発明の第１の実施形態における画像形成装置及びコントローラのブロック図について説明したが、次に、上記ブロック図、コントローラ上のタッチパネルディスプレイの表示例、コントローラの制御手順を説明するフローチャートを参照しながら本発明について詳細な説明を行う。
【００６６】
すなわち、コントローラ上のタッチパネル上のメニュー表示画面からメニュ選択して、キャリブレーション実行用のカラーパッチ画像の印刷出力を行い、その後、その印刷出力結果を原稿台から読み込ませキャリブレーションを行う際の制御手順について説明を行う。
【００６７】
まず、図１の１０３の画像形成装置のコピー機能とスキャナー機能の基本動作を説明するフローチャートを図１１に示す。本基本動作は通常の画像形成装置と同じであるので、図面とフローチャートとによる詳細な説明は省略するが、概略次の通りとなる。
【００６８】
画像形成装置の電源を立ち上げると、図１１においてステップS1、S2、S3と制御が進行し、ここで動作モードの切り替え、ユーザコード入力受付、各種設定要求等に対する処理が行われる。
【００６９】
そして、各モードに応じた操作が行われると、スキャナーモードであれば、ステップS4、ステップS9〜１４、コピーモードであれば、ステップS4、ステップS5〜S8と各操作に対応する制御が行われ、基本動作が実行される。
【００７０】
次に、図１１のステップS3において「キャリブレーションモード」が選択されると、図１２のコントローラの制御を説明するフローチャートのステップS20に制御が移行する。
【００７１】
ステップS20の制御により、コントローラ内部状態が初期化された後、図２０に示す初期画面が表示される。
【００７２】
ここで、「閉じる」ボタン表示を選択すると制御が画像形成装置の制御フローチャート上のステップＳ３に移行するが、「機能」ボタン表示を選択後の機能メニュー画面で「キャリブレーション」ボタン表示を選択することにより、図１２のステップS20からステップS21、S22と制御が移行し、図２１に示す表示が行われるよう制御される。
【００７３】
図２１において、「閉じる」ボタン表示が選択されると、図１２のステップS2２からS20に制御が移行し、また、「キャリブレート」以外のボタン表示が選択されると、ステップS23、S24と制御が移行し選択された機能を実行する。
【００７４】
ステップS22において「キャリブレート」が選択されるとステップS23、S25と制御が移行し、図２２の表示が行われる。そこで、「デフォルト」ボタン表示が選択されると、図２３の表示が行われ、キャリブレーション用パッチパターンの印刷実行を確認する表示が行われるので、ここで、「はい」ボタン表示を選択することにより図１０に示すパッチパターンデータが画像形成装置に送信される。
【００７５】
この送信されたパッチパターンデータは、図３に示す１０２１通信コントローラの制御のもと、画像形成装置のインターフェイス1010を介して受信され、１０２４のメモリ内に格納される。
【００７６】
そして、１０２２のCPUおよび１０２３内の制御プログラムの制御のもと、受信印刷データが印刷制御部が解釈できる中間コードに変換され、プリンタコントローラ１０２８の制御のもとに、１０３４の印刷データバッファに送信される。
【００７７】
１０３０の印刷制御部では、１０３１のCPUと１０３２のプログラムROMの制御のもと、印刷データバッファに格納された中間コードを印刷ドットイメージデータに展開して１０３５のページメモリ内に格納する。
【００７８】
そこで、図１３のフローチャートにおいて、ステップS41においてページメモリ内にデータがあるかどうか検出するステップを実行するが、ここで上記格納されたデータを検出するので、ステップS42に制御が移行し、この印刷イメージデータが、図３の１０３６のプリンタエンジンインターフェイスを介して印刷装置本体１０４３に転送されて印刷が実行され、図１０に示す印刷結果が得られる。
【００７９】
そして、ステップS43において、キャリブレーションモードか否か判定されるが、キャリブレーションモードＣＭ＝１が検出されるのでページメモリをクリアし、ステップS41に制御が移行する。
【００８０】
一方、コントローラ側では、図２４の「印刷中」メッセージ表示後、図２５のキャリブレーション実行確認のメーッセージが表示されるので、「はい」ボタン表示を選択することにより、図２６の表示を行い「閉じる」ボタン表示選択を促す表示を行うので、図１２のステップS26において「閉じる」ボタン表示の選択を待機する。
【００８１】
そこで、上記印刷出力された印刷結果を原稿台に置いて「閉じる」ボタン表示を選択すると、それがステップS26で検出されステップS27に移行する。
【００８２】
ステップ２７では、スキャナ読込フラッグSC＝１、エラーフラッグER＝０、スキャンバッファクリアを実行し、ステップS28においてスキャナ読込フラッグSC＝０を待機する。
【００８３】
従って、スキャナの動作を説明するフローチャート図１４のステップS46においてスキャナ読み込みフラッグSC=1が検出されるのでステップS47に進み、スキャナを起動して原稿台上の原稿読み込みを実行して読み込みイメージデータをスキャンバッファ内に格納する。その後、スキャナ読込フラッグSC=0を実行する。そして、ステップS48に進み、ここでキャリブレーションフラッグCM＝１を検出するのでステップS50に進む。ステップS50では、スキャンバッファ内の読み込みデータがキャリブレーションパッチデータであるかどうかの判定が行われるが、上記の通り、キャリブレーションモードで印刷出力結果が原稿台に置かれているので、ステップS46に制御が移行する。もし、原稿台にキャリブレーションモードで印刷出力された結果が置かれていなければ、ステップS51に移行しエラーフラッグER=1が実行される。
【００８４】
上記処理を受けて、図１２のステップS28においてSC=0が検出されるので、ステップS29に移行し、ここでエラーフラッグERの内容が判定され“0”の場合はステップS32に移行し、スキャンバッファ中の読み取りイメージデータをもとにキャリブレーションを実行するので、表示装置上に図１７に示す表示が行われる。その後、図１８に示す表示が行われ、キャリブレーション結果を有効にするかどうかを確認するメッセージを表示してステップS33に移行する。ここで、「はい」を選択すればキャリブレーション結果が登録される。
【００８５】
また、原稿台にキャリブレーション用カラーパッチ印刷結果ではない原稿を置いて「閉じる」ボタン表示を選択した場合、それがステップＳ５０で検出され、ステップS50からステップS51に制御が移行しエラーフラッグER=1が実行されるので、ステップS29においてそれが検出され、ステップS30に移行し図１９のエラーメッセージが表示され、「開始」か「キャンセル」のボタン表示の選択が要求された後、キャンセルを選択するとER=0、CM=0、スキャンバッファクリアが実行される。
【００８６】
以上説明したように、印刷履歴やスキャン履歴が記録されないキャリブレーションモードにおいて不正スキャンを行おうとしても、画像形成装置のキャリブレーション実行過程で、スキャン画像の内容がキャリブレーション用パッチデータであるかどうか判定するので、不正スキャン画像の取り込みを防止することができる。
【００８７】
（第２実施形態）
次に、第2の実施例について図面を用いて説明する。
【００８８】
第2の実施例は、図８、図９のメモリマップを説明する図、及び、図１５、図１６に示すように、スキャン画像の処理過程に違いがあるだけで、それ以外は上記第1の実施例と構成、処理過程とも同様であるので、その違いについてのみ説明する。
【００８９】
第１の実施例との違いは、図１２のステップS2７以降の、キャリブレーション用カラーパッチ印刷結果を原稿台に置いて「閉じる」ボタン表示を選択した際の処理内容である。
【００９０】
第２の実施例における対応する処理は、図１５のステップS62以降にあたるので、その処理について説明する。
【００９１】
ステップS62において、キャリブレーション用カラーパッチデータの位置情報を送信する。例えば、図１０に示すように、カラーパッチイメージの始まる左上位置情報（２０，１５）と範囲情報（６０，８０）を画像形成装置本体の入力制御部上のRAM１０２４に送信する。そして、スキャナ読込フラッグSC＝１を実行して、ステップS63に移行しSC＝０を待機する。
【００９２】
一方、スキャナの動作を説明するフローチャート図１６のＳＣ＝１を待機しているステップS７６において、ＳＣ＝１が検出され、ステップS77に制御が移行する。ここで、スキャナを起動し読み込みデータをスキャンバッファに格納後SC＝0を実行する。そして、ステップS78に進み、キャリブレーションフラッグＣＭ＝１を判定するステップにおいてＣＭ＝１であることが検出されるので、ステップ８０に移行する。ステップS80において上記キャリブレーション用カラーパッチデータの位置情報を読み出し、スキャンバッファ内の読み込みデータ中の対応するスキャンデータをスキャンバッファ中のデータから切り出し、スキャンバッファ内のデータと置き換える。
【００９３】
そこで、図１５のコントローラ側の制御フローチャートのステップＳ６３で上記ステップで実行されたＳＣ＝０が検出されるとステップＳ６４に移行し、キャリブレーションフラッグCMをクリアし、スキャンバッファ中の位置情報に従って置き換えられたキャリブレーション用データをもとにキャリブレーションを実行するので、表示装置上に図１７に示す表示が行われる。その後、図１８に示す表示が行われ、キャリブレーション結果を有効にするかどうかを確認するメッセージを表示してステップＳ６５に移行する。ここで、「はい」を選択すればキャリブレーション結果が登録される。
【００９４】
もし、図１５のステップＳ６１において、上記印刷されたキャリブレーション用カラーパッチ印刷結果を原稿台に置いて「閉じる」ボタン表示を選択するよう表示が行われた際、他の原稿を置いて「閉じる」を選択すると、ステップＳ６４においてそれが検出され、図１９のエラーメッセージが表示される。
【図面の簡単な説明】
【００９５】
【図１】本発明の一実施形態を示す画像形成システムの全体的構成を示すブロック図である。
【図２】本発明による画像形成システムを構成する画像形成装置本体の縦断面図である。
【図３】本発明による画像形成システムを構成する画像形成装置本体の構成を説明するブロック図である。
【図４】本発明による画像形成システムを構成するコントローラの構成を説明するブロック図である。
【図５】本発明による画像形成システムの第1及び第２の実施形態を構成する画像形成装置本体の入力制御部を制御する各種処理プログラムを格納する記憶媒体のメモリマップを説明する図である。
【図６】本発明による画像形成システムの第1の実施形態を構成する画像形成装置本体の印刷制御部を制御する各種処理プログラムを格納する記憶媒体のメモリマップを説明する図である。
【図７】本発明による画像形成システムの第1の実施形態を構成するコントローラを制御する各種処理プログラムを格納する記憶媒体のメモリマップを説明する図である。
【図８】本発明による画像形成システムの第２の実施形態を構成する画像形成装置本体の印刷制御部を制御する各種処理プログラムを格納する記憶媒体のメモリマップを説明する図である。
【図９】本発明による画像形成システムの第２の実施形態を構成するコントローラを制御する各種処理プログラムを格納する記憶媒体のメモリマップを説明する図である。
【図１０】本発明による画像形成システムを構成するコントローラの指令により、画像形成装置本体から印刷出力、および、画像読み込み用スキャナから読み込まれるキャリブレーション実行用のカラーパッチ画像の1例を説明する図である。YMCKの四色の中間階調濃度からなる帯パターン1001と、YMCKそれぞれの最大濃度パッチ（濃度信号レベル255）からなるパッチパターン1002、1003、1004および1005とを含む。
【図１１】画像形成システムの第1及び第2の実施形態における画像形成装置内の印刷制御部のプログラムROMに格納されているプログラムの制御過程を説明するフローチャートである。
【図１２】画像形成システムの第1の実施形態におけるコントローラ内のOS/各種制御ソフト内臓ROM内に格納されているプログラムの制御過程を説明するフローチャートである。
【図１３】画像形成システムの第1及び第2の実施形態における画像形成装置内の印刷制御部において、印刷バッファから印刷データを印刷装置本体に転送したり、アーカイブ記憶装置に印刷データを各種IDデータとともに転送する際の処理の流れを説明するフローチャートである。
【図１４】画像形成システムの第1の実施形態における画像形成装置内の入力制御部において、スキャナコントローラ1025の制御のもと、スキャナ装置1040の原稿台に置かれた原稿を読み取った際の処理の流れを説明するフローチャートである。
【図１５】画像形成システムの第２の実施形態におけるコントローラ内のOS/各種制御ソフト内臓ROM内に格納されているプログラムの制御過程を説明するフローチャートである。
【図１６】画像形成システムの第２の実施形態における画像形成装置内の入力制御部において、スキャナコントローラ1025の制御のもと、スキャナ装置1040の原稿台に置かれた原稿を読み取った際の処理の流れを説明するフローチャートである。
【図１７】本実施例による画像形成システムを構成するコントローラの表示の一例を示す図である。
【図１８】本実施例による画像形成システムを構成するコントローラの表示の一例を示す図である。
【図１９】本実施例による画像形成システムを構成するコントローラの表示の一例を示す図である。
【図２０】本実施例による画像形成システムを構成するコントローラの表示の一例を示す図である。
【図２１】本実施例による画像形成システムを構成するコントローラの表示の一例を示す図である。
【図２２】本実施例による画像形成システムを構成するコントローラの表示の一例を示す図である。
【図２３】本実施例による画像形成システムを構成するコントローラの表示の一例を示す図である。
【図２４】本実施例による画像形成システムを構成するコントローラの表示の一例を示す図である。
【図２５】本実施例による画像形成システムを構成するコントローラの表示の一例を示す図である。
【図２６】本実施例による画像形成システムを構成するコントローラの表示の一例を示す図である。
【符号の説明】
【００９６】
1010  インターフェイス
1021  通信制御コントローラ
1022  ＣＰＵ
1023  ＯＳ／各種制御ソフト内臓ＲＯＭ
1024  ＲＡＭ
1025  スキャナコントローラ
1026  タッチパネルキーボードコントローラ
1027  ジョブアーカイブコントローラ
1028  プリンタコントローラ
1029  入力制御部システムバス
1031  ＣＰＵ
1032  プログラムＲＯＭ
1033  ＲＡＭ
1034  印刷データバッファ
1035  ページメモリ
1036  プリンタエンジンインターフェイス
1037  印刷制御部システムバス
1038  内部接続ケーブル
1040  スキャナ装置
1041  タッチパネルキーボード
1042  ジョブアーカイブ用記憶装置
1043  印刷装置本体
【図１】
2008153765.tif 000003
【図２】
2008153765.tif 000004
【図３】
2008153765.tif 000005
【図４】
2008153765.tif 000006
【図５】
2008153765.tif 000007
【図６】
2008153765.tif 000008
【図７】
2008153765.tif 000009
【図８】
2008153765.tif 000010
【図９】
2008153765.tif 000011
【図１０】
2008153765.tif 000012
【図１１】
2008153765.tif 000013
【図１２】
2008153765.tif 000014
【図１３】
2008153765.tif 000015
【図１４】
2008153765.tif 000016
【図１５】
2008153765.tif 000017
【図１６】
2008153765.tif 000018
【図１７】
2008153765.tif 000019
【図１８】
2008153765.tif 000020
【図１９】
2008153765.tif 000021
【図２０】
2008153765.tif 000022
【図２１】
2008153765.tif 000023
【図２２】
2008153765.tif 000024
【図２３】
2008153765.tif 000025
【図２４】
2008153765.tif 000026
【図２５】
2008153765.tif 000027
【図２６】
2008153765.tif 000028